(57)【要約】 通信部と、制御部と、メモリー部と、を備え、制御部は、メインアカウントへの新着メールサービスの受信を機器にリアルタイムに報知する第１の報知制御Ｓ１００と、複数のアカウントのうちのメインアカウント以外のサブアカウントが受信したメールサービスをサブアカウントごとに定期的に確認する第２の報知制御Ｓ２００と、を行う。メモリー部は、第２の報知制御Ｓ２００により確認したメールサービス情報を保存するメール情報保存領域を備えている。通信部は、第２の報知制御Ｓ２００において、最新のメールサービス情報と、メール情報保存領域に保存されているメールサービス情報と、を比較（識別Ｓ２０６）して、新規メールサービスがあった場合にはユーザーへ報知する。
2016031655.tif 000002
【特許請求の範囲】
【請求項１】
複数のアカウントを利用可能なメールサービス機能を有する携帯装置と近距離無線通信を介して接続可能な機器に搭載される無線通信装置であって、
前記近距離無線通信を介して前記携帯装置と常時接続し通信を行う通信部と、
前記携帯装置と前記通信部との通信内容に沿って各種制御を行う制御部と、
前記携帯装置のメールサービス情報を保存するメモリー部と、を備え、
前記制御部は、前記複数のアカウントのうちメインアカウントへの新着メールサービスの受信を前記機器にリアルタイムに報知する第１の報知制御と、
前記複数のアカウントのうちの前記メインアカウント以外のサブアカウントが受信したメールサービスを前記サブアカウントごとに定期的に確認する第２の報知制御と、を行い、
前記メモリー部は、前記第２の報知制御により確認した前記メールサービス情報を保存するメール情報保存領域を備え、
前記第２の報知制御において、前記第２の報知制御により受信した最新の前記メールサービス情報と前記メール情報保存領域に保存されている前記メールサービス情報とを比較して、新規メールサービスがあった場合に、前記サブアカウントへの新着メールサービスの受信があったことをユーザーへ報知することを特徴とする無線通信装置。
【請求項２】
前記第２の報知制御が受信するメールサービス情報は、未読メールフラグが付けられたメールサービス情報であることを特徴とする請求項１記載の無線通信装置。
【請求項３】
前記第２の報知制御は、前記機器が前記携帯装置を認証した後の１回目の前記第２の報知制御においては、前記メールサービス情報の取得のみを行い、前記機器への報知は行わないことを特徴とする請求項１または請求項２に記載の無線通信装置。
【請求項４】
前記第２の報知制御は、第１の期間の内に全ての前記サブアカウントに対して行われるとともに、前記第１の期間よりも長い第２の期間を空けて定期的に行われることを特徴とする請求項１ないし請求項３のいずれかに記載の無線通信装置。
【請求項５】
前記メール情報保存領域に保存された前記メールサービス情報は、前記第２の報知制御が行われる度にクリアされ、前記メール情報保存領域には最新の前記メールサービス情報のみが保存されることを特徴とする請求項１ないし請求項４のいずれかに記載の無線通信装置。
【発明の詳細な説明】
【技術分野】
【０００１】
本発明は、無線通信装置に関し、特に、複数のメールアカウントの新着メールサービスを確認することができる無線通信装置に関する。
【背景技術】
【０００２】
近年、メールサービス機能を備えた携帯装置の普及に伴い、自動車の運転中に携帯装置に新着メールが届いた場合に、無線通信を利用して、カーナビゲーションシステム（Ｃａｒ  Ｎａｖｉｇａｔｉｏｎ  Ｓｙｓｔｅｍ）のモニターなどに新着メールが届いたことを表示することのできるシステムが活用されている。このようなシステムに搭載される無線通信装置としては、下記の特許文献１に記載の車載装置の近距離通信部が知られている。【０００３】
以下、図６を用いて、特許文献１に記載の車載装置の近距離通信部９０１が、携帯電話９６０と無線通信するときの接続方式について説明する。図６は、従来の車載装置９００の近距離通信部９０１と、携帯電話９６０と、の動作および接続方式を説明するシーケンス図である。車載装置９００は、携帯電話９６０と近距離無線通信するための近距離通信部９０１を備えている。図６に示すように、車載装置９００は、近距離通信部９０１のプロトコルスタックと、携帯電話９６０のプロトコルスタックと、の間にＢｌｕｅｔｏｏｔｈ（登録商標）で通信する際の標準的な手順であるＨＦＰ（Ｈａｎｄｓ−Ｆｒｅｅ  Ｐｒｏｆｉｌｅ）のサービスレベルコネクションとＭＡＰ（Ｍｅｓｓａｇｅ  Ａｃｃｅｓｓ  Ｐｒｏｆｉｌｅ）のメッセージアクセスサービスセッションとＭＡＰのメッセージノーティフィケーションサービスセッションとの確立が完了した常時接続状態を維持したまま動作する。
【先行技術文献】
【特許文献】
【０００４】
【特許文献１】国際公開第２０１１／０４３０７２号
【発明の概要】
【発明が解決しようとする課題】
【０００５】
昨今、スマートフォン（Ｓｍａｒｔｐｈｏｎｅ）が市場に浸透し、その利用が拡大するのに伴って、１台のスマートフォンで複数のメールアカウントを利用するユーザーが増えてきている。また、上記のようなモニターなどに新着メールが届いたことを表示することのできるシステムに対しても、スマートフォンで利用する全てのメールアカウントの着信を表示して欲しいという要求が増えてきている。しかしながら、近距離通信部９０１の構成を複数のメールアカウントの新着メールを確認する無線通信装置に用いる場合、常時接続するメールアカウントは増加するので、その無線通信装置の係るシステム全体のメモリーリソースの確保が困難になる虞があった。【０００６】
本発明は、上述した問題を解決して、複数のメールアカウントの新着メールを確認する場合であってもメモリーリソースを節約可能な無線通信装置を提供するものである。
【課題を解決するための手段】
【０００７】
この課題を解決するために、本発明の無線通信装置は、複数のアカウントを利用可能なメールサービス機能を有する携帯装置と近距離無線通信を介して接続可能な機器に搭載される無線通信装置であって、前記近距離無線通信を介して前記携帯装置と常時接続し通信を行う通信部と、前記携帯装置と前記通信部との通信内容に沿って各種制御を行う制御部と、前記携帯装置のメールサービス情報を保存するメモリー部と、を備え、前記制御部は、前記複数のアカウントのうちメインアカウントへの新着メールサービスの受信を前記機器にリアルタイムに報知する第１の報知制御と、前記複数のアカウントのうちの前記メインアカウント以外のサブアカウントが受信したメールサービスを前記サブアカウントごとに定期的に確認する第２の報知制御と、を行い、前記メモリー部は、前記第２の報知制御により確認した前記メールサービス情報を保存するメール情報保存領域を備え、前記第２の報知制御において、前記第２の報知制御により受信した最新の前記メールサービス情報と前記メール情報保存領域に保存されている前記メールサービス情報とを比較して、新規メールサービスがあった場合に、前記サブアカウントへの新着メールサービスの受信があったことをユーザーへ報知することに特徴を有する。【０００８】
これによれば、無線通信装置は、メインアカウントと常時接続するとともに、各サブアカウントと定期的に接続して新着メールサービスの受信を確認する構成となるため、各サブアカウントに常時接続した場合に比べて、無線通信装置に係るシステム全体のメモリーリソースを節約することができる。したがって、複数のメールアカウントの新着メールを確認する場合であってもメモリーリソースを節約可能な無線通信装置を提供することができる。【０００９】
また、本発明の無線通信装置は、前記第２の報知制御が受信するメールサービス情報は、未読メールフラグが付けられたメールサービス情報であることを特徴としている。【００１０】
これによれば、第２の報知制御は未読メールフラグの付けられたメールサービス情報のみを受信することによって、既読のメールサービス情報を受信することはなくなるので、第２の報知制御と携帯装置との間のトランザクションの増加が防止される。【００１１】
また、本発明の無線通信装置は、前記第２の報知制御は、前記機器が前記携帯装置を認証した後の１回目の前記第２の報知制御においては、前記メールサービス情報の取得のみを行い、前記機器への報知は行わないことを特徴としている。【００１２】
これによれば、認証した後の１回目の第２の報知制御においては、メールサービス情報の取得のみを行い、機器への報知は行わないようにすることで、認証の前に着信し未読のままにしていたメールは、認証の後に新着メールとして報知されることがなくなる。【００１３】
また、本発明の無線通信装置は、前記第２の報知制御は、第１の期間の内に全ての前記サブアカウントに対して行われるとともに、前記第１の期間よりも長い第２の期間を空けて定期的に行われることを特徴としている。【００１４】
これによれば、第２の報知制御は短期間（第１の期間）でまとめて実施し、その後は定期的に長期間（第２の期間）空けてから再度実施することで、常時接続することに近しい状態を避けることができる。よって、トランザクション増加を防止することができる。【００１５】
また、本発明の無線通信装置は、前記メール情報保存領域に保存された前記メールサービス情報は、前記第２の報知制御が行われる度にクリアされ、前記メール情報保存領域には最新の前記メールサービス情報のみが保存されることを特徴としている。【００１６】
これによれば、第２の報知制御が行われる度に古いメールサービス情報がクリアされ、未読メール保存領域には最新のメールサービス情報のみが保存されることで、メモリーリソースを節約することができる。
【発明の効果】
【００１７】
本発明の無線通信装置は、サブアカウントが受信したメールサービスをサブアカウントごとに定期的に確認する構成となるため、各サブアカウントに常時接続した場合に比べて、無線通信装置に係るシステム全体のメモリーリソースを節約することができる。したがって、複数のメールアカウントの新着メールを確認する場合であってもメモリーリソースを節約可能な無線通信装置を提供することができる。
【図面の簡単な説明】
【００１８】
【図１】本発明の第１実施形態の無線通信装置を備える機器の構成を示す模式図である。
【図２】第１実施形態の無線通信装置と携帯装置との接続方法を説明する図である。
【図３】第１実施形態の無線通信装置と携帯装置との第１の報知制御に係る接続方法を説明する図である。
【図４】第１実施形態の無線通信装置と携帯装置との第２の報知制御に係る接続方法を説明する図である。
【図５】第１実施形態の変形例の無線通信装置と携帯装置との第１の報知制御に係る接続方法を説明する図である。
【図６】従来の車載装置の近距離通信部と携帯電話との動作および接続方式を説明するシーケンス図である。
【発明を実施するための形態】
【００１９】
以下、本発明の第１実施形態の無線通信装置１および無線通信装置１を備える機器１００について図１から図４を用いて説明する。図１は、本発明の第１実施形態の無線通信装置１を備える機器１００の構成を示す模式図である。図２は、第１実施形態の無線通信装置１とスマートフォン６０１との接続方法を説明する図である。図３は、第１実施形態の無線通信装置１とスマートフォン６０１との第１の報知制御Ｓ１００に係る接続方法を説明する図である。図４は、第１実施形態の無線通信装置１とスマートフォン６０１との第２の報知制御Ｓ２００に係る接続方法を説明する図である。
【００２０】
機器１００は、通信部１０と制御部２０とメモリー部３０とを備えてなる無線通信装置１と、表示装置２と、を備えている。機器１００は、通信部１０を介して車両内に持ち込まれた携帯装置と無線通信し、その携帯装置が利用している何れかのメールアカウントが新着メールサービスを受信したとき、表示装置２にメッセージを点滅表示してユーザーに知らせる構成を備えている。なお、本実施形態においては、機器１００は、カーナビゲーションシステムである。なお、本実施形態において、機器１００と無線通信する携帯装置を、便宜上、スマートフォン６０１と呼ぶ。スマートフォン６０１は、近距離無線通信の規格であるＢｌｕｅｔｏｏｔｈ（登録商標）の規格に準じた構成を備えてなる一般的なスマートフォン（Ｓｍａｒｔｐｈｏｎｅ）であり、複数のメールアカウントを利用可能なメールサービス機能を有している。なお、スマートフォン６０１の利用している複数のメールアカウントは、ユーザーが任意に設定可能なメインアカウント（図２及び図３に示すメインアカウントＡ）と、メインアカウントＡ以外のサブアカウントＢ（Ｂ１、Ｂ２、・・・）と、からなっている。
【００２１】
無線通信装置１は、カーナビゲーションシステムに搭載された近距離無線通信可能な装置であり、通信部１０を介してスマートフォン６０１と接続可能である。無線通信装置１は、スマートフォン６０１と無線通信してメールサービス情報を取得し、スマートフォン６０１が車両内に持ち込まれた後に新着メールサービスを受信したときには、表示装置２へ報知する装置である。
【００２２】
通信部１０は、Ｂｌｕｅｔｏｏｔｈ（登録商標）の規格に準じた構成を備えてなり、スマートフォン６０１と無線通信する装置である。なお、通信部１０は、制御部２０からの制御信号に従ってスマートフォン６０１と無線通信するとともに、スマートフォン６０１から取得したメールサービス情報を制御部２０へ転送する装置である。
【００２３】
制御部２０は、スマートフォン６０１と通信部１０との通信内容に沿って、通信部１０と、メモリー部３０と、表示装置２と、に信号を送ることによって、図３に示す第１の報知制御Ｓ１００及び図４に示す第２の報知制御Ｓ２００を含む各種制御を行う装置である。なお、第１の報知制御は、図３に示すように、メインアカウントＡへの新着メールサービスの受信を表示装置２へリアルタイムに報知（報知Ｓ１０７）する制御である。なお、第２の報知制御は、図４に示すように、サブアカウントＢが受信したメールサービスをサブアカウントＢごとに定期的に確認し、最新のメールサービス情報と、過去のメールサービス情報と、を比較する制御である。また、サブアカウントＢに新規メールサービスがあった場合には、表示装置２へ報知（報知Ｓ２０７）する制御である。
【００２４】
メモリー部３０は、無線通信装置１に搭載された物理メモリーからなり、第２の報知制御Ｓ２００により確認したメールサービス情報を保存するメモリー領域（メール情報保存領域３１）を割り当て可能な容量を有している。メール情報保存領域３１は、過去に受信されたメールサービス情報が保存されるメモリー部３０上の仮想領域であり、スマートフォン６０１の利用している全てのメールアカウントのメールサービス情報をメールアカウントごとに保存するだけの容量を有している。
【００２５】
表示装置２は液晶パネルからなるディスプレイである。表示装置２は、制御部２０からの新着メールサービスに係る報知（報知Ｓ１０７、報知Ｓ２０７）を受けとったとき、その報知に係るメッセージを画面上に点滅表示可能な構成を有している。なお、表示装置２は、本実施形態においてはカーナビゲーションシステムの表示モニターである。
【００２６】
次に、無線通信装置１が、スマートフォン６０１の利用している全てのメールアカウントと通信して車両内に持ち込まれた後に受信した新着メールサービスを識別し、表示装置２に報知を行うときの動作について、図２から図４を用いて説明する。無線通信装置１は、図２に示すように、車両内にスマートフォン６０１が持ち込まれたとき、スマートフォン６０１と無線通信しての機器認証を行うとともに、スマートフォン６０１の利用しているメールアカウントについての情報を取得する。メールアカウントの情報を取得した無線通信装置１は、過去にメインアカウントＡが登録されているかどうかについて識別を行い、予めメインアカウントの登録が有る場合には、第１の報知制御Ｓ１００を開始する。また、メインアカウントが登録されていない場合には、手操作入力モードを起動して、ユーザーがメインアカウントＡを登録することを促し、ユーザーによってメインアカウントＡが登録されてから第１の報知制御Ｓ１００を開始する。第１の報知制御Ｓ１００は、メインアカウントＡへの新着メールサービスの受信をリアルタイムに報知（図３に示す報知Ｓ１０７）する制御である。ここで、第１の報知制御Ｓ１００の詳細について、図２および図３を用いて説明する。第１の報知制御Ｓ１００において、制御部２０は、通信部１０に対して、メインアカウントＡのメールサービス情報を取得するように指示（図３に示す通信指示Ｓ１０１）を送る。通信指示Ｓ１０１をする指示を受けた通信部１０は、スマートフォン６０１との間に常時接続（接続Ｓ１０２）を確立するとともに、通信Ｓ１０３を行ってメインアカウントＡのメールサービス情報を取得する。通信Ｓ１０３によってメインアカウントＡのメールサービス情報を取得した通信部１０は、そのメールサービス情報を制御部２０に転送（データ転送Ｓ１０４）する。データ転送Ｓ１０４をする指示を受けることによってメインアカウントＡのメールサービス情報を取得した制御部２０は、メインアカウントＡが新着メールサービスを受信した場合には、表示装置２に対して報知（報知Ｓ１０７）する。報知Ｓ１０７をする指示を受けた表示装置２は、新着情報に係るメッセージを画面上に点滅表示してユーザーに知らせる。図２に示すように、第１の報知制御Ｓ１００を開始した無線通信装置１は、その後、第１の報知制御Ｓ１００を継続しながら、スマートフォン６０１がサブアカウントＢを利用しているのかどうかについての識別を行う。そして、無線通信装置１は、スマートフォン６０１がサブアカウントＢを利用している場合には、第１の報知制御Ｓ１００を継続しながら、１つのサブアカウントＢ（Ｂ１）と一時的に接続して、図２および図４に示す第２の報知制御Ｓ２００を行う。また、スマートフォン６０１がサブアカウントＢを利用していない場合には、例えば、スマートフォン６０１が車両外へ持ち出されるなどの理由によって図３に示す接続Ｓ１０２が切断されるまで、第１の報知制御Ｓ１００のみを継続して行う。第２の報知制御Ｓ２００は、サブアカウントＢが受信したメールサービスをサブアカウントＢごとに定期的に確認して、新規メールサービスの受信が有った場合には報知（報知Ｓ２０７）する制御である。ここで、第２の報知制御Ｓ２００の詳細について、図２および図４を用いて説明する。第２の報知制御Ｓ２００において、制御部２０は、通信部１０に対して、サブアカウントＢ１のメールサービス情報を取得するように指示（図４に示す通信指示Ｓ２０１）を送る。通信指示Ｓ２０１を受信した通信部１０は、サブアカウントＢ１との間に接続Ｓ２０２を確立するとともに、通信Ｓ２０３を行い、サブアカウントＢ１の未読メールフラグが付けられたメールサービス情報を最新のメールサービス情報として取得する。サブアカウントＢ１の最新のメールサービス情報を取得した通信部１０は、そのメールサービス情報を制御部２０に転送（データ転送Ｓ２０４）する。データ転送Ｓ２０４によりサブアカウントＢ１の最新のメールサービス情報を取得した制御部２０は、通信部１０に対して接続Ｓ２０２を切断するように指示（切断指示Ｓ２０５）を送り、サブアカウントＢ１との接続（接続Ｓ２０２）を切断する。また、切断指示Ｓ２０５を終えた制御部２０は、メモリー部３０との間で識別Ｓ２０６を行う。なお、識別Ｓ２０６とは、データ転送Ｓ２０４によって取得した最新のメール情報と、メール情報保存領域３１に保存されている過去のメールサービス情報と、を比較することによりサブアカウントＢ１が新着メールサービスを受信したかどうか識別する情報処理である。識別Ｓ２０６を終えた制御部２０は、サブアカウントＢ１が新着メールサービスを受信していない場合には、メモリー部３０に対して最新のメールサービス情報を転送するとともに、その最新のメール情報を保存するように指示（データ保存Ｓ２０８）する。また、サブアカウントＢ１が新着メールサービスを受信していた場合には、表示装置２に対して報知（報知Ｓ２０７）してからデータ保存Ｓ２０８を行う。報知Ｓ２０７をする指示を受けた表示装置２は、新着情報に係るメッセージを画面上に点滅表示してユーザーに知らせる。なお、機器１００がスマートフォン６０１を認証した後の１回目の第２の報知制御Ｓ２００において、制御部２０は、報知Ｓ２０７を行わない。データ保存Ｓ２０８をする指示を受けたメモリー部３０は、最新のメール情報をメール情報保存領域３１に保存するとともに、メール情報保存領域３１に保存されていた過去のメールサービス情報を、データ保存Ｓ２０８が行われる度にクリアする。データ保存Ｓ２０８を終えた無線通信装置１は、図２に示すように、サブアカウントＢ１の他にサブアカウントＢが有るかについての識別を行い、他のサブアカウントＢが無い場合には、第１の報知制御Ｓ１００が継続しているかどうかについての識別を行う。また、他のサブアカウントＢが有る場合には、サブアカウントＢ（Ｂ１）を別のサブアカウントＢ（Ｂ２）に切り替えてから、第１の報知制御Ｓ１００が継続しているかどうかについての識別を行う。第１の報知制御Ｓ１００が継続しているかどうかについての識別を終了した無線通信装置１は、第１の報知制御Ｓ１００が継続している場合には、第２の報知制御Ｓ２００を行う。また、第１の報知制御Ｓ１００が継続していない場合には、スマートフォン６０１との通信を終了する。なお、第２の報知制御Ｓ２００が、全てのサブアカウントＢに対して一回ずつ行われるのに必要な時間を第１の期間と呼ぶ。なお、第２の報知制御Ｓ２００は、第１の期間よりも長い第２の期間を空けて定期的に行われる。なお、本実施形態において、第１の期間は１０秒で、第２の期間は６０秒である。
【００２７】
このように、本発明の第１実施形態の無線通信装置１は、複数のアカウントを利用可能なメールサービス機能を有するスマートフォン６０１と近距離無線通信を介して接続可能な機器１００に搭載される無線通信装置であって、近距離無線通信を介してスマートフォン６０１と常時接続し通信を行う通信部１０と、スマートフォン６０１と通信部１０との通信内容に沿って各種制御を行う制御部２０と、スマートフォン６０１のメールサービス情報を保存するメモリー部３０と、を備えている。制御部２０は、複数のアカウントのうちメインアカウントＡへの新着メールサービスの受信を機器１００にリアルタイムに報知する第１の報知制御Ｓ１００を行う。また、制御部２０は、複数のアカウントのうちのメインアカウントＡ以外のサブアカウントが受信したメールサービスをサブアカウントごとに定期的に確認する第２の報知制御Ｓ２００を行う。メモリー部３０は、第２の報知制御Ｓ２００により確認したメールサービス情報を保存するメール情報保存領域３１を備えている。通信部１０は、第２の報知制御Ｓ２００において、第２の報知制御Ｓ２００により受信した最新のメールサービス情報とメール情報保存領域３１に保存されているメールサービス情報とを比較して、新規メールサービスの有無を識別する。新規メールサービスの有無を識別した通信部１０は、新規メールサービスがあった場合には、サブアカウントへの新着メールサービスの受信があったことをユーザーへ報知する。これによれば、無線通信装置１は、メインアカウントＡと常時接続するとともに、各サブアカウントと定期的に接続して新着メールサービスの受信を確認する構成となるため、全てのアカウントの受信状況を擬似的にリアルタイム監視する。また、無線通信装置１に係るシステム全体のメモリーリソースは、複数のアカウントと常時接続する構成を用いる場合より節約可能となる。
【００２８】
また、本発明の第１実施形態の無線通信装置１は、第２の報知制御Ｓ２００が受信するメールサービス情報は、未読メールフラグが付けられたメールサービス情報である。そのため、第２の報知制御Ｓ２００において、通信部１０は、未読メールフラグの付けられたメールサービス情報のみを受信することによって、既読のメールサービス情報を受信することはなくなるので、スマートフォン６０１との間のトランザクションの増加が防止される。
【００２９】
また、本発明の第１実施形態の無線通信装置１は、第２の報知制御Ｓ２００は、機器１００がスマートフォン６０１を認証した後の１回目の第２の報知制御Ｓ２００においては、メールサービス情報の取得のみを行い、表示装置２への報知は行わない。これによれば、認証の前に着信し未読のままにしていたメールは、認証後に新着メールとして報知されることがなくなるので、例えば、予めサブアカウントに大量の未読メールが残っている場合に、認証直後に大量の報知がなされてユーザーが混乱する虞がなくなる。
【００３０】
また、本発明の第１実施形態の無線通信装置１は、第２の報知制御Ｓ２００は、第１の期間の内に全てのサブアカウントに対して行われるとともに、第１の期間よりも長い第２の期間を空けて定期的に行われることを特徴としている。これによれば、第２の報知制御Ｓ２００は短期間（第１の期間）でまとめて実施し、その後は定期的に長期間（第２の期間）空けてから再度実施することで、常時接続することに近しい状態を避けることができる。よって、トランザクション増加を防止することができる。
【００３１】
また、本発明の第１実施形態の無線通信装置１は、メール情報保存領域３１に保存されたメールサービス情報は、第２の報知制御Ｓ２００が行われる度にクリアされ、メール情報保存領域３１には最新のメールサービス情報のみが保存されることを特徴としている。これによれば、第２の報知制御Ｓ２００が行われる度に古いメールサービス情報がクリアされ、未読メール保存領域には最新のメールサービス情報のみが保存されることで、メモリーリソースを節約することができる。
【００３２】
なお、本発明は上記実施形態に限定されるものではなく、要旨を逸脱しない範囲で種々変更して実施することができる。例えば次のように変形して実施することができ、これらの実施形態も本発明の技術的範囲に属する。
【００３３】
上記実施形態では、機器１００は、カーナビゲーションシステムであったが、カーナビゲーションシステム以外の装置であっても良い。
【００３４】
また、上記実施形態では、第２の期間は６０秒間であったが、第２の期間は、第１の期間より長い期間であれば良く、ユーザーの都合に応じて変更して良い。
【００３５】
上記実施形態のメールサービスは、スマートフォンで送受できる文字情報で有ればよく、ＳＭＳ（Ｓｈｏｒｔ  Ｍｅｓｓａｇｅ  Ｓｅｒｖｉｃｅ）、ＭＭＳ（Ｍｕｌｔｉｍｅｄｉａ  Ｍｅｓｓａｇｉｎｇ  Ｓｅｒｖｉｃｅ）、ｉＭｅｓｓａｇｅ、Ｅ−ｍａｉｌ、ｓｐモードメールの何れでも良い。
【００３６】
上記実施形態では、第１の報知制御Ｓ１００において、図３に示すように、データ転送Ｓ１０４によってメインアカウントＡの最新のメールサービス情報を取得した制御部２０は、新着メールサービスを受信したときに表示装置２へ報知Ｓ１０７を行う構成となっていた。しかし、データ転送Ｓ１０４によりメインアカウントＡの最新のメールサービス情報を取得した制御部２０は、図５に示すように、識別Ｓ１０６と、報知Ｓ１０７ａと、データ保存Ｓ１０８と、を行う構成となっていても良い。なお、識別Ｓ１０６とは、データ転送Ｓ１０４によって得た最新のメール情報と、メール情報保存領域３１に保存されている過去のメールサービス情報と、を比較することによりメインアカウントＡが新着メールサービスを受信したかどうか識別する情報処理である。なお、本変形例において、通信Ｓ１０３と、データ転送Ｓ１０４と、が行われるのに必要な時間を第３の期間と呼ぶ。なお、本変形例において、通信Ｓ１０３と、データ転送Ｓ１０４と、は第３の期間よりも長い第４の期間を空けて定期的に行われる。なお、本変形例において、第３の期間は２秒で、第４の期間は２０秒である。その場合、データ転送Ｓ１０４によりメインアカウントＡの最新のメールサービス情報を取得した制御部２０は、識別Ｓ１０６を行う。なお、識別Ｓ１０６とは、データ転送Ｓ１０４によって取得した最新のメール情報と、メール情報保存領域３１に保存されている過去のメールサービス情報と、を比較することによりメインアカウントＡが新着メールサービスを受信したかどうか識別する情報処理である。識別Ｓ１０６を終えた制御部２０は、メインアカウントＡが新着メールサービスを受信していない場合には、メモリー部３０に対して最新のメールサービス情報を転送するとともに、その最新のメール情報を保存するように指示（データ保存Ｓ１０８）する。また、メインアカウントＡが新着メールサービスを受信していた場合には、表示装置２に対して報知（報知Ｓ１０７ａ）してからデータ保存Ｓ１０８を行う。報知Ｓ１０７ａをする指示を受けた表示装置２は、新着情報に係るメッセージを画面上に点滅表示してユーザーに知らせる。なお、機器１００がスマートフォン６０１を認証した後の１回目の第１の報知制御Ｓ１００において、制御部２０は、報知Ｓ１０７ａを行わない。データ保存Ｓ１０８をする指示を受けたメモリー部３０は、最新のメール情報をメール情報保存領域３１に保存するとともに、メール情報保存領域３１に保存されていた過去のメールサービス情報を、データ保存Ｓ１０８が行われる度にクリアする。これによれば、機器１００は、メインアカウントＡについて、スマートフォン６０１が車両に持ち込まれた後に受信した新着メールサービスのみ報知する。そのため、例えば、メインアカウントＡに大量の未読メールを溜め込んだ状態のスマートフォン６０１が車両外から車両内に持ち込まれた場合、スマートフォン６０１の機器認証の済んだ直後に大量の報知が行われ、ユーザーを混乱させる虞がなくなる。また、通信Ｓ１０３と、データ転送Ｓ１０４と、は第４の期間（２０秒）を空けて定期的に行われるので、識別Ｓ１０６と、報知Ｓ１０７ａと、データ保存Ｓ１０８と、もまた２０秒を空けて定期的に行われるようになる。よって、無線通信装置１のトランザクション増加が防止される。
【符号の説明】
【００３７】
１      無線通信装置
２      表示装置
１０    通信部
２０    制御部
３０    メモリー部
３１    メール情報保存領域
１００  機器
６０１  スマートフォン
９００  車載装置
９０１  近距離通信部
９６０  携帯電話
Ａ      メインアカウント
Ｂ      サブアカウント
Ｂ１    サブアカウント
Ｓ１００  第１の報知制御
Ｓ１０１  通信指示
Ｓ１０２  接続
Ｓ１０３  通信
Ｓ１０４  データ転送
Ｓ１０６  識別
Ｓ１０７  報知
Ｓ１０７ａ  報知
Ｓ１０８  データ保存
Ｓ２００  第２の報知制御
Ｓ２０１  通信指示
Ｓ２０２  接続
Ｓ２０３  通信
Ｓ２０４  データ転送
Ｓ２０５  切断指示
Ｓ２０６  識別
Ｓ２０７  報知
Ｓ２０８  データ保存
【図１】
2016031655.tif 000003
【図２】
2016031655.tif 000004
【図３】
2016031655.tif 000005
【図４】
2016031655.tif 000006
【図５】
2016031655.tif 000007
【図６】
2016031655.tif 000008
【国際調査報告】
2016031655.tif 000009
2016031655.tif 000010
2016031655.tif 000011
2016031655.tif 000012